(57)【要約】      （修正有）【課題】大容量の電池を使用することなく制御回路に時計機能を持たせることが可能な洗濯機を提供する。【解決手段】電源リレー４２がオンされた電源投入状態ではメイン電源回路３２から電気二重層キャパシタ５０に直流電源が与えられ、電気二重層キャパシタ５０からサブ制御回路４７に計時処理を行うための駆動電源が与えられる。この電源リレー４２がオフされた電源遮断状態で電気二重層キャパシタ５０がサブ制御回路４７を駆動することが可能な程度に充電されているときには電気二重層キャパシタ５０からサブ制御回路４７に計時処理を行うための駆動電源が与えられ、電気二重層キャパシタ５０がサブ制御回路４７を駆動することが不能な程度に放電した非常時にはボタン電池５５からサブ制御回路４７に計時処理を行うための駆動電源が与えられる。このため、非常時に小容量のボタン電池５５でサブ制御回路４７に時計機能を持たせることができる。【選択図】図２
2008067764.tif 000002
【特許請求の範囲】
【請求項１】
商用交流電源を直流電源に変換する電源回路と、
前記電源回路に商用交流電源に供給する給電路に介在されたものであって、当該給電路を開放するオフ状態および当該給電路を閉成するオン状態に相互に切換えられるスイッチと、
直流電源を出力することが可能な電池と、
前記スイッチのオン状態で前記電源回路が変換する直流電源を充電する電気二重層キャパシタと、
前記スイッチのオン状態では前記電気二重層キャパシタから直流電源が与えられることに基づいて時間を計測する計時処理を行うものであって、前記スイッチのオフ状態では前記電気二重層キャパシタおよび前記電池のいずれかから前記電気二重層キャパシタが優先するように直流電源が与えられることに基づいて計時処理を行う制御回路を備えたことを特徴とする洗濯機。
【請求項２】
前記電気二重層キャパシタが接続された基板と、
前記基板に隙間を介して対向配置されたものであって、表示器を保持する保持部材を備え、
前記電気二重層キャパシタは、前記基板および前記保持部材相互間の隙間に収納されていることを特徴とする請求項１に記載の洗濯機。
【請求項３】
前記電気二重層キャパシタが接続された基板と、
前記基板に設けられ、前記電気二重層キャパシタが収納されたキャパシタ容器と、
前記基板が前記キャパシタ容器と共に収納された基板容器と、
前記基板容器内に設けられ、前記基板を前記キャパシタ容器の内部空間を残して樹脂封止すると封止部と
を備えたことを特徴とする請求項１に記載の洗濯機。
【発明の詳細な説明】
【技術分野】
【０００１】
本発明はバックアップ電源を有する洗濯機に関する。
【背景技術】
【０００２】
上記洗濯機には商用交流電源の投入状態で商用交流電源から電源回路を通して制御回路に駆動電源を供給し、商用交流電源の遮断状態でボタン電池等のバックアップ電源から制御回路に駆動電源を供給する構成のものがある。この制御回路はマイクロコンピュータを主体に構成されたものであり、商用交流電源の投入状態および遮断状態のそれぞれで時間を計測する計時処理を行うことに基づいて現在時刻を計測する時計機能を有している。
【特許文献１】特開平２−５４７５９号公報
【特許文献２】特開２００５−６８０４号公報
【発明の開示】
【発明が解決しようとする課題】
【０００３】
上記洗濯機の場合、ボタン電池の寿命を洗濯機の製品寿命と同等または洗濯機の製品寿命に比べて長く設定しようとしたときには大容量のボタン電池を使用する必要があるが、大容量のボタン電池を使用することは現実的にコストの点で困難である。
【０００４】
本発明は上記事情に鑑みてなされたものであり、その目的は、大容量の電池を使用することなく制御回路に時計機能を持たせることが可能な洗濯機を提供することにある。
【課題を解決するための手段】
【０００５】
本発明の洗濯機は、商用交流電源を直流電源に変換する電源回路と、前記電源回路に商用交流電源に供給する給電路に介在されたものであって当該給電路を開放するオフ状態および当該給電路を閉成するオン状態に相互に切換えられるスイッチと、直流電源を出力することが可能な電池と、前記スイッチのオン状態で前記電源回路が変換する直流電源を充電する電気二重層キャパシタと、前記スイッチのオン状態では前記電気二重層キャパシタから直流電源が与えられることに基づいて時間を計測する計時処理を行うものであって前記スイッチのオフ状態では前記電気二重層キャパシタおよび前記電池のいずれかから前記電気二重層キャパシタが優先するように直流電源が与えられることに基づいて計時処理を行う制御回路を備えたところに特徴を有している。
【発明の効果】
【０００６】
スイッチがオンされた商用交流電源の投入状態では商用交流電源から電源回路を通して電気二重層キャパシタに直流電源が与えられ、電気二重層キャパシタから制御回路に計時処理を行うための駆動電源が与えられる。このスイッチがオフされた商用交流電源の遮断状態で電気二重層キャパシタが制御回路を駆動することが可能な程度に充電されているときには電気二重層キャパシタから制御回路に計時処理を行うための駆動電源が与えられ、電気二重層キャパシタが制御回路を駆動することが不能な程度に放電した非常時には電池から制御回路に計時処理を行うための駆動電源が与えられる。このため、非常時に制御回路を駆動することができる程度に小容量の電池で制御回路に時計機能を持たせることができる。
【発明を実施するための最良の形態】
【０００７】
［実施例１］
外箱１は、図１に示すように、底板２と左側板３と右側板４と前板５と天板６と後板７を相互に接合することから構成されたものであり、前板５には貫通孔状の出入口８が形成されている。この前板５にはドア９が装着されており、ドア９は出入口８を閉鎖する閉鎖状態および出入口８を開放する開放状態相互間で操作可能にされている。
【０００８】
外箱１の内部には水受槽が収納されている。この水受槽は後面が閉鎖された有底な円筒状をなすものであり、水受槽の後板には洗濯モータ１０（図２参照）が固定されている。この洗濯モータ１０は３相ＤＣブラシレスモータからなるものであり、洗濯モータ１０の回転軸は水受槽の内部に突出している。この洗濯モータ１０の回転軸には水受槽の内部に位置してドラムが連結されている。このドラムは後面が閉鎖された有底な円筒状をなすものであり、洗濯モータ１０が駆動することに基づいて洗濯モータ１０の回転軸と一体的に回転する。このドラムの前面は出入口８の後方に配置されており、衣類はドア９の開放状態で外部から出入口８を通してドラム内に投入され、ドア９の開放状態でドラム内から出入口８を通して外部に取出される。
【０００９】
外箱１には、図１に示すように、ドア９の上方に位置して横長な操作パネル１１が接合されており、操作パネル１１には電源スイッチ１２と予約スイッチ１３とコーススイッチ１４とスタートスイッチ１５と停止スイッチ１６のそれぞれが装着されている。電源スイッチ１２は操作力が加わることに基づいて電気的なオン状態になるものであり、操作力が除去されることに基づいて電気的なオフ状態に自己復帰する。外箱１の内部にはマイクロコンピュータを主体に構成されたメイン制御回路１７（図２参照）が収納されており、予約スイッチ１３〜停止スイッチ１６のそれぞれは、図２に示すように、メイン制御回路１７に接続されている。このメイン制御回路１７はＣＰＵとＲＯＭとＲＡＭを有するものであり、予約スイッチ１３が操作されたことを判断したときには予約スイッチ１３の操作内容に応じて予約時刻を設定し、コーススイッチ１４が操作されたことを判断したときにはコーススイッチ１４の操作内容に応じて運転コースを設定し、スタートスイッチ１５が運転コースの設定状態で操作されたことを判断したときには運転コースの設定結果を実行し、停止スイッチ１６が運転コースの実行状態で操作されたことを判断したときには実行中の運転コースを停止する。
【００１０】
外箱１の内部には、図３に示すように、操作パネル１１の後方に位置してタイマケース１８が収納されている。このタイマケース１８は基板容器に相当するものであり、タイマケース１８の輪郭形状は操作パネル１１の輪郭形状に沿う横長な形状に設定され、タイマケース１８の断面形状は、図４に示すように、前面が開口する容器状に設定されている。このタイマケース１８の内部にはプリント配線基板１９が収納されている。このプリント配線基板１９はタイマケース１８の底板に複数のスペーサを介して支持されたものであり、プリント配線基板１９およびタイマケース１８の底板相互間には隙間が形成されている。このプリント配線基板１９は基板に相当するものである。
【００１１】
プリント配線基板１９には、図４に示すように、複数の係合孔２０が形成されており、各係合孔２０内には前方からＬＣＤホルダ２１の脚２２が挿入されている。これら各脚２２の先端部には爪部２３が形成されており、各脚２２は爪部２３が係合孔２０の縁部に係合することに基づいて係合孔２０から前方へ外れることが防止されている。このＬＣＤホルダ２１は合成樹脂を材料に形成されたものであり、ＬＣＤホルダ２１の断面形状は前面が開口する容器状に設定され、ＬＣＤホルダ２１の輪郭形状は、図３に示すように、横長な長方形状に設定されている。このＬＣＤホルダ２１は保持部材に相当するものである。
【００１２】
タイマケース１８の内部には、図４に示すように、封止部２４が形成されている。この封止部２４はタイマケース１８の内部にウレタン樹脂等のポッティング樹脂を注入することから形成されたものであり、プリント配線基板１９の前面および後面のそれぞれは封止部２４によって封止され、ＬＣＤホルダ２１は各脚２２の後半部が封止部２４内に埋設されることに基づいてプリント配線基板１９に固定されている。このプリント配線基板１９の前面にはＬＣＤホルダ２１およびプリント配線基板１９相互間の隙間に位置してコンデンサホルダ２５が接合されている。このコンデンサホルダ２５は前面が開口する容器状をなすものであり、コンデンサホルダ２５の内部空間には封止部２４が形成されていない。このコンデンサホルダ２５はキャパシタ容器に相当するものである。
【００１３】
ＬＣＤホルダ２１の内部には、図４に示すように、液晶表示器２６が収納されている。この液晶表示器２６は表示器に相当するものであり、反射シート２７と導光板２８とプリズムシート２９とＬＣＤセル３０とバックライト３１を有している。このバックライト３１は、図３に示すように、反射シート２７〜ＬＣＤセル３０の側方に配置されたものであり、側方の反射シート２７に向って光を投射する。この反射シート２７はバックライト３１から投射された光を前方へ反射するものであり、導光板２８は反射シート２７から反射された光を面状化してプリズムシート２９に投射し、プリズムシート２９は導光板２８から投射された光を直線偏光してＬＣＤセル３０に投射する。このＬＣＤセル３０は２枚のガラス板相互間に液晶層を挟み込んだものであり、ＬＣＤセル３０には液晶層の配列を画素毎に制御することで映像が表示される。このＬＣＤセル３０は、図１に示すように、操作パネル１１の貫通孔を通して前方に露出しており、ＬＣＤセル３０の表示内容は前方の使用者から視覚的に認識可能にされている。
【００１４】
商用交流電源には、図２に示すように、電源回路に相当するメイン電源回路３２が接続されている。このメイン電源回路３２は整流回路３３と２個の平滑コンデンサ３４とＤＣ／ＤＣコンバータ３５と平滑コンデンサ３６〜３９を有するものであり、整流回路３３と２個の平滑コンデンサ３４とＤＣ／ＤＣコンバータ３５と平滑コンデンサ３６〜３９のそれぞれはタイマケース１８内のプリント配線基板１９に電気的に接続され、タイマケース１８内の封止部２４によって樹脂封止されている。
【００１５】
整流回路３３は商用交流電源を直流電源に変換するものであり、２個の平滑コンデンサ３４は整流回路３３から出力される直流電源を平滑することに基づいて倍電圧の直流電源を生成する。これら２個の平滑コンデンサ３４のそれぞれは電解コンデンサから構成されたものであり、ＤＣ／ＤＣコンバータ３５は２個の平滑コンデンサ３４から出力される倍電圧の直流電源を降圧することに基づいてレベルが相互に異なる直流電源を生成する。平滑コンデンサ３６〜３９のそれぞれは電解コンデンサから構成されたものであり、平滑コンデンサ３６はＤＣ／ＤＣコンバータ３５から出力される直流電源を平滑することに基づいて駆動電源Ｖ１（１５Ｖ）を生成し、平滑コンデンサ３７はＤＣ／ＤＣコンバータ３５から出力される直流電源を平滑することに基づいて駆動電源Ｖ２（５．７Ｖ）を生成し、平滑コンデンサ３８はＤＣ／ＤＣコンバータ３５から出力される直流電源を平滑することに基づいて駆動電源Ｖ３（５Ｖ）を生成し、平滑コンデンサ３９はＤＣ／ＤＣコンバータ３５から出力される直流電源を平滑することに基づいてメイン制御回路１７用の駆動電源Ｖ４（５Ｖ）を生成する。
【００１６】
商用交流電源および整流回路３３相互間には、図２に示すように、電源スイッチ１２が介在されており、使用者が電源スイッチ１２を操作したときには電源スイッチ１２がオフ状態からオン状態に切換わることに基づいて整流回路３３に商用交流電源が与えられ、駆動電源Ｖ１〜Ｖ４のそれぞれの生成が開始される。この電源スイッチ１２の操作状態ではメイン電源回路３２からメイン制御回路１７に駆動電源Ｖ４が与えられ、メイン制御回路１７が起動する。このメイン制御回路１７には抵抗付きトランジスタ４０のベース端子が接続されており、メイン制御回路１７は起動直後にトランジスタ４０のベース端子に駆動信号を出力することに基づいてトランジスタ４０をオンする。
【００１７】
トランジスタ４０には抵抗付きトランジスタ４１のベース端子が接続されており、トランジスタ４０がオンされたときにはメイン電源回路３２からトランジスタ４１のベース端子に駆動電源Ｖ３が与えられることに基づいてトランジスタ４１がオンされる。このトランジスタ４１には電源リレー４２のコイル４３が接続されており、トランジスタ４１がオンされたときにはメイン電源回路３２からコイル４３に駆動電源Ｖ１が与えられることに基づいてコイル４３がオンされる。この電源リレー４２の接点４４は給電路４５に介在されており、コイル４３がオンされたときには接点４４がオフ状態からオン状態に切換わることに基づいて給電路４５が開放状態から閉成状態に切換わる。この給電路４５はメイン電源回路３２の整流回路３３に商用交流電源を供給するものであり、電源リレー４２の接点４４は商用交流電源および整流回路３３相互間に電源スイッチ１２に対して並列に介在されている。即ち、電源リレー４２は給電路４５を開放するオフ状態および給電路４５を閉成するオン状態相互間で切換えられるスイッチに相当するものであり、使用者が電源スイッチ１２から手を離した状態では商用交流電源が電源リレー４２の接点４４を通してメイン電源回路３２に与えられるので、駆動電源Ｖ１〜Ｖ４のそれぞれが電源スイッチ１２の操作状態から継続して生成される。
【００１８】
メイン電源回路３２には、図２に示すように、インバータ回路４６が接続されており、インバータ回路４６には洗濯モータ１０が接続されている。このインバータ回路４６はメイン電源回路３２が生成する倍電圧の直流電源を３相の交流電源に変換するものであり、洗濯モータ１０はインバータ回路４６から３相の交流電源が与えられることに基づいて駆動する。このインバータ回路４６にはメイン制御回路１７が接続されており、メイン制御回路１７はインバータ回路４６を駆動制御することに基づいて洗濯モータ１０を速度制御しながら回転操作する。即ち、メイン制御回路１７は洗濯モータ１０を駆動することに基づいてドラムを回転操作し、ドラム内の洗濯物を洗剤の投入状態で洗う洗い工程とドラム内の洗濯物を洗剤の非投入状態で洗うすすぎ工程とドラム内の洗濯物から水分を遠心力で除去する脱水工程を含む洗濯運転を運転コースの設定結果に応じた内容で実行するものであり、運転制御回路に相当する。
【００１９】
外箱１の内部には制御回路および表示制御回路のそれぞれに相当するサブ制御回路４７が収納されており、サブ制御回路４７には液晶表示器２６が接続されている。このサブ制御回路４７はマイクロコンピュータを主体に構成されたものであり、ＣＰＵとＲＯＭとＲＡＭを有している。このサブ制御回路４７は液晶表示器２６の表示内容を制御するものであり、メイン制御回路１７に接続されている。このメイン制御回路１７はサブ制御回路４７に表示コマンドを送信するものであり、サブ制御回路４７は液晶表示器２６に表示コマンドの受信結果に応じた映像を表示する。このメイン制御回路１７はサブ制御回路４７にモード切換えコマンドを送信するものであり、サブ制御回路４７は低電力消費モード（例えばスリープモード）の設定状態でモード切換えコマンドを受信したときには低電力消費モードから通常電力消費モードに切換わり、通常電力消費モードの設定状態でモード切換えコマンドを受信したときには通常電力消費モードから低電力消費モードに切換わる。この低電力消費モードは通常電力消費モードに比べて少ない消費電力量で動作するモードであり、低電力消費モードではサブ制御回路４７の機能が通常電力消費モードに比べて制限される。
【００２０】
サブ制御回路４７には、図２に示すように、サブ電源回路４８が接続されている。このサブ電源回路４８はサブ制御回路４７に商用交流電源の投入状態および商用交流電源の遮断状態のそれぞれで駆動電源を供給するものであり、サブ制御回路４７は商用交流電源の投入状態および商用交流電源の遮断状態のそれぞれで動作する。このサブ電源回路４８は平滑コンデンサ４９と２個の電気二重層キャパシタ５０とダイオード５１〜５３と抵抗５４とボタン電池５５を有するものであり、平滑コンデンサ４９と２個の電気二重層キャパシタ５０とダイオード５１〜５３と抵抗５４のそれぞれはタイマケース１８内のプリント配線基板１９に電気的に接続され、２個の電気二重層キャパシタ５０を除く残りの平滑コンデンサ４９とダイオード５１〜５３と抵抗５４のそれぞれはタイマケース１８内の封止部２４によって樹脂封止されている。
【００２１】
平滑コンデンサ４９は電解コンデンサから構成されたものであり、商用交流電源の投入状態でＤＣ／ＤＣコンバータ３５から出力される直流電源を平滑することに基づいて駆動電源Ｖ２（５．７Ｖ）を生成する。両電気二重層キャパシタ５０のそれぞれは平滑コンデンサ４９から出力される駆動電源Ｖ２を充電するものである。これら両電気二重層キャパシタ５０は両電気二重層キャパシタ５０の電圧（定格５Ｖ）がボタン電池５５の電圧（定格３Ｖ）に比べて高いときにサブ制御回路４７に駆動電源を与えるものであり、ダイオード５１は両電気二重層キャパシタ５０から平滑コンデンサ４９にサブ制御回路４７の駆動電源が逆流することを防止し、ダイオード５３は両電気二重層キャパシタ５０からボタン電池５５にサブ制御回路４７の駆動電源が流れることを防止する。
【００２２】
両電気二重層キャパシタ５０のそれぞれは、図４に示すように、コンデンサホルダ２５内に横向きの倒立状態で収納され、両電気二重層キャパシタ５０のそれぞれの端子５６は、図３に示すように、コンデンサホルダ２５の壁を乗り越えてプリント配線基板１９に接続されており、両電気二重層キャパシタ５０のそれぞれはタイマケース１８内の封止部２４によって樹脂封止されていない。ボタン電池５５は、図２に示すように、両電気二重層キャパシタ５０の電圧がボタン電池５５の電圧に比べて低下したときにサブ制御回路４７に駆動電源を与えるものであり、ダイオード５２は両電気二重層キャパシタ５０がボタン電池５５から充電を行うことを防止する。このボタン電池５５は電池および一次電池のそれぞれに相当するものである。
【００２３】
次に上記構成の作用について説明する。
使用者が電源スイッチ１２を一度も操作していない製品の購入直後にはサブ電源回路４８の両電気二重層キャパシタ５０のそれぞれが全く充電されていない。この初期状態ではサブ電源回路４８のボタン電池５５からサブ制御回路４７に駆動電源が与えられ、サブ制御回路４７がボタン電池５５からの駆動電源に基づいて低電力消費モードで動作している。この初期状態ではサブ制御回路４７は計時処理を行っている。この計時処理はクロック回路から一定の時間間隔で出力されるクロック信号に基づいてカウンタを更新する処理であり、カウンタは現在時刻を示す時計として機能する。このクロック回路はサブ制御回路４７に内蔵されたものであり、低消費電力モードではサブ制御回路４７が現在時刻を計測する時計機能が有効化され、通常電力消費モードではサブ制御回路４７が液晶表示器２６に映像を表示する表示機能および時計機能の双方が有効化される。
【００２４】
使用者が電源スイッチ１２を操作したときにはメイン電源回路３２に商用交流電源が与えられ、メイン電源回路３２からメイン制御回路１７に駆動電源Ｖ４が与えられる。このメイン制御回路１７はメイン電源回路３２から駆動電源Ｖ４が与えられることに基づいて起動し、起動直後の電源投入処理でトランジスタ４０に駆動信号を出力することに基づいて電源リレー４２をオンすると共にサブ制御回路４７にモード切換えコマンドを出力することに基づいてサブ制御回路４７を低電力消費モードから通常電力消費モードに切換える。この電源リレー４２がオンされた電源投入状態ではメイン電源回路３２からサブ電源回路４８に駆動電源Ｖ２が与えられ、サブ電源回路４８の両電気二重層キャパシタ５０からサブ制御回路４７に駆動電源が与えられることに基づいてサブ制御回路４７が計時処理を継続する。
【００２５】
メイン制御回路１７は電源投入状態で予約スイッチ１３が操作されたことを判断すると、予約スイッチ１３の操作内容に応じて予約時刻を設定する。そして、予約時刻の設定結果に応じた表示コマンドを設定し、表示コマンドの設定結果をサブ制御回路４７に送信する。この予約時刻は洗濯運転の終了時刻を称するものであり、サブ制御回路４７はメイン制御回路１７からの表示コマンドを受信したときには表示コマンドの受信結果に応じた映像を液晶表示器２６に表示し、使用者に予約時刻の設定結果を報知する。
【００２６】
メイン制御回路１７は電源投入状態でコーススイッチ１４が操作されたことを判断すると、コーススイッチ１４の操作内容に応じて運転コースを設定する。この運転コースは予約時刻が設定されているか否かに拘らず電源投入状態でコーススイッチ１４が操作されることに基づいて設定されるものであり、メイン制御回路１７は運転コースを設定したときには運転コースの設定結果に応じた表示コマンドを設定し、表示コマンドの設定結果をサブ制御回路４７に送信する。すると、サブ制御回路４７は表示コマンドの受信結果に応じた映像を液晶表示器２６に表示し、使用者に運転コースの設定結果を報知する。
【００２７】
メイン制御回路１７は予約時刻の非設定状態でスタートスイッチ１５が操作されたことを判断すると、運転コースの設定結果に応じた駆動信号をインバータ回路４６に出力することに基づいてドラムを運転コースの設定結果に応じて回転操作し、運転コースの設定結果を即座に実行する。この運転コースの設定結果を終了した場合および運転コースの実行中に停止スイッチ１６が操作されたことを判断した場合のそれぞれにはサブ制御回路４７にモード切換えコマンドを送信することに基づいてサブ制御回路４７を通常電力消費モードから低電力消費モードに切換え、電源リレー４２をオフすることに基づいて商用交流電源を遮断する（オートパワーオフ）。この電源遮断状態ではサブ電源回路４８の両電気二重層キャパシタ５０からサブ制御回路４７に駆動電源が与えられ、サブ制御回路４７が計時処理を継続する。この電源遮断状態で両電気二重層キャパシタ５０の電圧がボタン電池５５の電圧に比べて低下したときにはボタン電池５５からサブ制御回路４７に駆動電源が与えられ、サブ制御回路４７が計時処理を継続する。
【００２８】
メイン制御回路１７は予約時刻の設定状態でスタートスイッチ１５が操作されたことを判断すると、予約モードをオフ状態からオン状態に切換える。この予約モードのオン状態ではメイン制御回路１７は停止スイッチ１６を無効化しており、停止スイッチ１６が操作されたことを判断したときであっても電源リレー４２をオフせずに電源投入状態を継続する。
【００２９】
メイン制御回路１７は予約モードをオン状態に切換えると、予約時刻の設定結果に基づいて運転時刻を演算する。この運転時刻は運転コースの設定結果を実行するために必要な所要時間を予約時刻の設定結果から減算することで得られるものであり、メイン制御回路１７は運転時刻を演算したときにはサブ制御回路４７に運転時刻の演算結果を送信する。すると、サブ制御回路４７は運転時刻の受信結果をＲＡＭに記録し、カウンタの更新結果を運転時刻の記録結果と比較する。この状態ではサブ電源回路４８の両電気二重層キャパシタ５０からサブ制御回路４７に駆動電源が与えられており、サブ制御回路４７はカウンタの更新結果が運転時刻の記録結果に到達したことを判断したときにはメイン制御回路１７にスタートコマンドを送信する。
【００３０】
メイン制御回路１７はサブ制御回路４７からのスタートコマンドを受信すると、運転コースの設定結果に応じた駆動信号をインバータ回路４６に出力することに基づいて運転コースの設定結果を実行する。この運転コースの設定結果が終了した場合または運転コースの実行中に停止スイッチ１６が操作されたことを判断した場合のそれぞれにはサブ制御回路４７にモード切換えコマンドを送信することに基づいてサブ制御回路４７を低電力消費モードに切換え、電源リレー４２をオフすることに基づいて商用交流電源を遮断する。
【００３１】
上記実施例１によれば次の効果を奏する。
電源リレー４２がオンされた電源投入状態では商用交流電源からメイン電源回路３２を通して電気二重層キャパシタ５０に直流電源を与え、電気二重層キャパシタ５０からサブ制御回路４７に計時処理を行うための駆動電源を与えた。この電源リレー４２がオフされた電源遮断状態で電気二重層キャパシタ５０がサブ制御回路４７を駆動することが可能な程度に充電されているときには電気二重層キャパシタ５０からサブ制御回路４７に計時処理を行うための駆動電源を与え、電気二重層キャパシタ５０がサブ制御回路４７を駆動することが不能な程度に放電した非常時にはボタン電池５５からサブ制御回路４７に計時処理を行うための駆動電源を与えた。このため、非常時にサブ制御回路４７を駆動することができる程度に小容量のボタン電池５５でサブ制御回路４７に時計機能を持たせることができるので、使用者が好みの予約時刻で運転コースを終える予約運転を行うことが可能になる。
【００３２】
電気二重層キャパシタ５０をプリント配線基板１９およびタイマケース１８相互間の隙間に収納したので、タイマケース１８を操作パネル１１の後方に配置するときに電気二重層キャパシタ５０が邪魔になることがなくなる。このため、タイマケース１８のレイアウトの自由度が向上するので、液晶表示器２６のレイアウトの自由度も高まる。しかも、電気二重層キャパシタ５０を倒立状態で配置したので、電気二重層キャパシタ５０をプリント配線基板１９およびタイマケース１８相互間の隙間内に収納し易くなる。
【００３３】
電気二重層キャパシタ５０をコンデンサホルダ２５内に収納し、電気二重層キャパシタ５０がタイマケース１８内の封止部２４によって樹脂封止されることを回避したので、電気二重層キャパシタ５０の防爆弁が封止部２４によって機能不能に塞がれることが防止される。このため、電気二重層キャパシタ５０の内圧が異常上昇したときには防爆弁を通して電気二重層キャパシタ５０の内圧を確実に逃がすことができるので、安全性が損なわれることを防止できる。
【００３４】
平滑コンデンサ４９からダイオード５１を通して両電気二重層キャパシタ５０のそれぞれを充電する構成としたので、両電気二重層キャパシタ５０からメイン電源回路３２側へ電流が逆流することを防止できる。両電気二重層キャパシタ５０およびボタン電池５５相互間にダイオード５２を介在した。このため、両電気二重層キャパシタ５０の電圧がボタン電池５５の電圧に比べて低下したときに両電気二重層キャパシタ５０のそれぞれがボタン電池５５から充電を行うことがなくなるので、ボタン電池５５の電力が無駄に消費されることを防止できる。
【００３５】
上記実施例１においては、一次電池５５に換えて二次電池を用いても良い。
上記実施例１においては、２個の電気二重層キャパシタ５０に換えて１個の電気二重層キャパシタ５０を用いても良い。
【００３６】
上記実施例１においては、ドラム内の洗濯物を乾燥する乾燥機構を設けても良い。
【図面の簡単な説明】
【００３７】
【図１】洗濯機の外観を示す斜視図
【図２】電気的構成を示す図
【図３】タイマケースの外観を示す斜視図
【図４】図３のＸ線に沿う断面図
【符号の説明】
【００３８】
１８はタイマケース（基板容器）、１９はプリント配線基板（基板）、２１はＬＣＤホルダ（保持部材）、２４は封止部、２５はコンデンサホルダ（キャパシタ容器）、２６は液晶表示器（表示器）、３２はメイン電源回路（電源回路）、４２は電源リレー（スイッチ）、４５は給電路、４７はサブ制御回路（制御回路）、５０は電気二重層キャパシタ、５５はボタン電池（電池）を示している。
【図１】
2008067764.tif 000003
【図２】
2008067764.tif 000004
【図３】
2008067764.tif 000005
【図４】
2008067764.tif 000006